(57)【要約】      （修正有）【課題】保線作業員が軌道（線路）の保線作業を行う際、誤って作業エリア外に出ることを確実に防止する保線作業用警告灯を提供する。【解決手段】保線作業用警告灯１は、保線作業員を検知する人感センサ１２が設けられた警告灯本体１１と、警告灯本体１１に設けられ、人感センサ１２が保線作業員を検知した際に点灯、点滅、消灯あるいは点灯色を変える等、人感センサ１２が保線作業員を検知しない時と状態を変えて報知する報知手段としてのパトライト（登録商標）１３を有する。保線作業用警告灯１を、保線作業の作業エリアの両端それぞれに設置して、保線作業員が作業エリアから出た場合、人感センサ１２が検知して報知し、誤って作業エリア外に出ることを確実に防止する。【選択図】図１
2019145266.tif 000002
【特許請求の範囲】
【請求項１】
保線作業の作業エリアの両端に設置する保線作業用警告灯であって、
保線作業員を検知する人感センサが設けられた警告灯本体と、
前記警告灯本体に設けられ、前記人感センサが保線作業員を検知した際に点灯、点滅、消灯あるいは点灯色を変える等、前記人感センサが保線作業員を検知しない時と状態を変えて報知する報知手段とを有することを特徴とする保線作業用警告灯。
【請求項２】
請求項１記載の保線作業用警告灯において、
前記警告灯本体は、正面視、両端部から中心に向かって傾斜する斜め上向きの一対の傾斜面を有し、
前記人感センサは、それぞれ、前記一対の傾斜面に設けられていることを特徴とする保線作業用警告灯。
【請求項３】
請求項１または請求項２に記載の保線作業用警告灯において、
さらに、
前記電池から前記人感センサおよび前記報知手段への電源電流の供給を制御して前記人感センサおよび前記報知手段の動作のオン・オフを制御する電源スイッチと、
前記人感センサが保線作業員を検知して前記報知手段が点灯、点滅、消灯あるいは点灯色を変える等、前記人感センサが保線作業員を検知しない時と状態を変えて報知した場合、その報知をリセットして前記人感センサが保線作業員を検知していない状態に戻すリセットスイッチとを有することを特徴とする保線作業用警告灯。
【請求項４】
請求項１〜請求項３のいずれか一の請求項に記載の保線作業用警告灯において、
さらに、
前記警告灯本体の底面側には、折り畳み可能な開閉式の脚部が設けられていることを特徴とする保線作業用警告灯。
【発明の詳細な説明】
【技術分野】
【０００１】
本発明は、軌道（線路）の保線作業を行う際、作業エリアの両端部等に設置する保線作業用警告灯に関する。
【背景技術】
【０００２】
軌道（線路）の保線作業の多くは夜間であり暗いため、作業エリアの両端部等に設置した警告灯（例えば、特許文献１参照。）を点灯や点滅等させて作業エリア外に保線作業員が出ないようにして、危険防止を図ると共に、作業エリア外での工具等の置き忘れ防止を図っている。
【先行技術文献】
【特許文献】
【０００３】
【特許文献１】実公平７−３３２９７号公報
【発明の概要】
【発明が解決しようとする課題】
【０００４】
しかし、上述のように作業エリアの両端部等に警告灯を設置した場合でも、保線作業員が誤って作業エリア外に出たり、また作業エリア外に出て作業道具を置き、作業終了後に作業道具を回収し忘れるおそれがある、という問題がある。
【０００５】
そこで、本発明はこのような問題点に着目してなされたもので、保線作業員が誤って作業エリア外に出ることを確実に防止することができる保線作業用警告灯を提供することを目的とする。
【課題を解決するための手段】
【０００６】
前記課題を解決するため、本発明に係る保線作業用警告灯は、保線作業の作業エリアの両端に設置する保線作業用警告灯であって、保線作業員を検知する人感センサが設けられた警告灯本体と、前記警告灯本体に設けられ、前記人感センサが保線作業員を検知した際に点灯、点滅、消灯あるいは点灯色を変える等、前記人感センサが保線作業員を検知しない時と状態を変えて報知する報知手段とを有することを特徴とする。
また、本発明に係る保線作業用警告灯では、前記警告灯本体は、正面視、両端部から中心に向かって傾斜する斜め上向きの一対の傾斜面を有し、前記人感センサは、それぞれ、前記一対の傾斜面に設けられていることも特徴とする。
また、本発明に係る保線作業用警告灯では、さらに、前記電池から前記人感センサおよび前記報知手段への電源電流の供給を制御して前記人感センサおよび前記報知手段の動作のオン・オフを制御する電源スイッチと、前記人感センサが保線作業員を検知して前記報知手段が点灯、点滅、消灯あるいは点灯色を変える等、前記人感センサが保線作業員を検知しない時と状態を変えて報知した場合、その報知をリセットして前記人感センサが保線作業員を検知していない状態に戻すリセットスイッチとを有することも特徴とする。
また、本発明に係る保線作業用警告灯では、さらに、前記警告灯本体の底面側には、折り畳み可能な開閉式の脚部が設けられていることも特徴とする。
【発明の効果】
【０００７】
本発明に係る保線作業用警告灯によれば、警告灯本体と、警告灯本体に設けられた人感センサと、警告灯本体に設けられ、人感センサが保線作業員を検知した際に点灯、点滅、消灯あるいは点灯色を変える等、人感センサが保線作業員を検知しない時と状態を変えて報知する報知手段とを有するため、保線作業用警告灯を保線作業の作業エリアの両端それぞれに設置すると、保線作業員が作業エリアから出た際に人感センサが検知して報知手段が報知する。
そのため、保線作業員が誤って作業エリア外に出ることを確実に防止することができ、作業エリア外に作業道具を置き忘れることも確実に防止することができる。
【図面の簡単な説明】
【０００８】
【図１】本発明に係る実施形態の保線作業用警告灯の外観を示す正面図である。
【図２】本発明に係る実施形態の保線作業用警告灯の外観を示す平面図である。
【図３】本発明に係る実施形態の保線作業用警告灯の外観を示す背面図である。
【図４】本発明に係る実施形態の保線作業用警告灯の外観を示す右側面図である。
【図５】本発明に係る実施形態の保線作業用警告灯の外観を示す左側面図である。
【図６】本発明に係る実施形態の保線作業用警告灯の外観を示す底面図である。
【図７】図４におけるＡ−Ａ線断面図である。
【図８】本発明に係る実施形態の保線作業用警告灯において脚部を開いた状態の外観を示す右側面図である。
【図９】本発明に係る実施形態の保線作業用警告灯をマクラギ上に設置して保線作業エリアを設定した状態を示す平面図である。
【図１０】本発明に係る実施形態の保線作業用警告灯をマクラギ上に設置して保線作業エリアを設定して、保線作業用警告灯によって保線作業員を検知した状態を示す正面図である。
【図１１】（ａ），（ｂ）それぞれ本発明に係る実施形態の保線作業用警告灯の外観を示す正面図、平面図である。
【図１２】（ａ），（ｂ）それぞれ本発明に係る実施形態の保線作業用警告灯の外観を示す背面図、右側面図である。
【図１３】（ａ），（ｂ）それぞれ本発明に係る実施形態の保線作業用警告灯の外観を示す左側面図、図１２（ｂ）におけるＢ−Ｂ線断面図である。
【発明を実施するための形態】
【０００９】
次に、本発明に係る保線作業用警告灯の実施形態について、図面を参照しながら詳細に説明する。なお、下記に説明する実施形態は、あくまで、本発明の一例であり、本発明は、下記に説明する実施の形態に限定されるものではなく、本発明の技術的思想の範囲内で適宜改変可能である。
【００１０】
＜実施形態の保線作業用警告灯１の構成＞
実施形態の保線作業用警告灯１は、保線作業の作業エリアの両端に設置して保線作業員が作業エリア外に出たときに報知するもので、警告灯本体１１と、人感センサ１２と、報知手段としてのパトライト１３と、センサキャップ１４と、電源スイッチ１５と、リセットスイッチ１６と、一対の脚部１７，１７とを備える。以下、分説する。
【００１１】
＜警告灯本体１１＞
警告灯本体１１は、正面視、台形状の前側面１１ａおよび後側面１１ｂを有する共に、正方形または長方形の上側面１１ｃ、底面１１ｄおよび左右両側に底面１１ｄの両端部から上側面１１ｃに向かって傾斜する斜め上向きの一対の傾斜面である右側傾斜面１１ｅおよび左側傾斜面１１ｆとから構成された台形ホックスの中に、回路基板１１ｇと、乾電池や充電池等の電池１１ｈとを備えて構成される。
【００１２】
上側面１１ｃには、人感センサ１２が保線作業員を検知すると回路基板１１ｇの制御によって検知前と点灯または点滅状態を変更して保線作業員が人感センサ１２のセンサ範囲を通過したことを報知する報知手段としてパトライト１３が設けられている。尚、パトライト１３は、人感センサ１２が保線作業員を検知した際、必要あれば警告音も発生するように構成しても勿論良い。
【００１３】
底面１１ｄには、電池を交換するため取り外し可能な電池交換用裏蓋１１ｄ１と、底面１１ｄに折り畳んで収納可能な開閉式の一対の脚部１７，１７の基部を開閉可能に支持する脚支持金具１１ｄ２，１１ｄ２とが設けられている。
【００１４】
一対の傾斜面である右側傾斜面１１ｅおよび左側傾斜面１１ｆには、それぞれ、人感センサ１２と、人感センサ１２の検知エリアがなるべくレールの長手方向に広がらないように縦長形状のスリット１４ａを有するキャップ１４とが設けられている。
【００１５】
また、右側傾斜面１１ｅには、電池１１ｈから人感センサ１２および報知手段としてのパトライト１３への電源電流の供給を制御して人感センサ１２およびパトライト１３の動作のオン・オフを制御する電源スイッチ１５と、人感センサ１２が保線作業員を検知してパトライト１３が点灯または点滅等させて保線作業員検知を報知した場合、人感センサ１２が保線作業員を検知していない状態に戻すためのリセットスイッチ１６とが設けられている。尚、電源スイッチ１５は、オン側とオフ側とがシーソー式に揺動する揺動スイッチで構成されている一方、リセットスイッチ１６は収縮状態のスプリング（図示せず。）によって押したら戻る押しスイッチにより構成されている。
【００１６】
回路基板１１ｇは、電源スイッチ１５のオンによって電池１１ｈから人感センサ１２へ電源電流を供給して作動させる一方、電源スイッチ１５のオフによって人感センサ１２への電源電流の供給を停止するように制御する。また、回路基板１１ｇは、人感センサ１２が保線作業員を検知すると電池１１ｈからパトライト１３へ電源電流を供給して点灯または点滅等させて保線作業員検知を報知し、パトライト１３の点灯または点滅等の動作中にリセットスイッチ１６が押されると、人感センサ１２が保線作業員を検知していない状態に戻すように制御する。
【００１７】
人感センサ１２，１２は、それぞれ、焦電型赤外線センサ等の周知のセンサで、保線作業員が人感センサ１２，１２のセンサエリアＳＡで動くと赤外線エネルギー量の分布が変化するので、その変化によって保線作業員が通過したことを検知するもので、上述したように警告灯本体１１の一対の傾斜面である右側傾斜面１１ｅおよび左側傾斜面１１ｆにそれぞれ設けられるもので、その検知エリアで保線作業員等を検知すると、保線作業員等を検知したことを回路基板１１ｇに対し出力するように構成されている。
【００１８】
ここで、人感センサ１２，１２は、後述する図に示すように、レールの長手方向に検知エリアが広がらないように縦長形状のスリット１４ａを有するキャップ１４が設けられている。
【００１９】
パトライト１３も周知のもので、通常は消滅または弱い光で発光しており、人感センサ１２，１２が保線作業員等を検知した場合には、回路基板１１ｇからの制御信号によって明るいまたは強い光で発光したり、あるいは点滅したり、点灯色を変えて点灯する等、人感センサ１２，１２が保線作業員等を検知したことを報知するように構成されている。尚、パトライト１３は、人感センサ１２，１２が保線作業員を検知した際、さらに警告音も発生するように構成しても勿論良い。
【００２０】
一対の脚部１７，１７は、それぞれ、短尺で脚支持金具１１ｄ２，１１ｄ２によって回動可能に支持される基部１７ａと、その基部１７ａから９０度折れ曲がり、底面１１ｄの短辺方向に延びる立設部１７ｂと、立設部１７ｂから９０度折れ曲がって基部１７ａと平行に延びる長尺の接地部１７ｃとから構成され、図６に示すように互いの基部１７ａを固定する脚支持金具１１ｄ２，１１ｄ２と、接地部１７ｃとが対向するように設けられている。
【００２１】
そのため、実施形態の保線作業用警告灯１は、図１〜図７に示すように一対の脚部１７，１７を閉じて警告灯本体１１の底面１１ｄに収納したまま底面１１ｄをマクラギや砕石等の軌道上に接地させて使用することもできるし、図８に示すように一対の脚部１７，１７を開いて警告灯本体１１の底面１１ｄから下方に向け突出させ、一対の脚部１７，１７それぞれの接地部１７ｃ，１７ｃをマクラギや砕石等の軌道上に接地させて使用することもできる。
【００２２】
＜実施形態の保線作業用警告灯１の使用方法および効果等＞
次に以上のように構成された実施形態の保線作業用警告灯１の使用方法および効果等について説明する。
【００２３】
図９は、以上のように構成された実施形態の保線作業用警告灯１の設置例を示す平面図である。
例えば、図９に示すように、レールＲの長手方向における作業エリアの両端部である先端部のマクラギＭ１と、後端部のマクラギＭ２とにそれぞれ実施形態の保線作業用警告灯１を設置する。その際、保線作業用警告灯１は、マクラギＭ１およびマクラギＭ２の中央であって、かつ、左右の一対の傾斜面である右側傾斜面１１ｅおよび左側傾斜面１１ｆが、それぞれ左右のレールＲに対向するように設置する。
【００２４】
その際、必要あれば、図８に示すように、警告灯本体１１の底面１１ｄから折り畳まれている一対の脚部１７，１７を開いて、一対の脚部１７，１７それぞれの接地部１７ｃ，１７ｃをマクラギＭ１とマクラギＭ２上に設置するようにしても良い。
【００２５】
そしてマクラギＭ１とマクラギＭ２上に設置された各警告灯本体１１にて電源スイッチ１５が押されると、回路基板１１ｇは、電源スイッチ１５のオンによって電池１１ｈから左右の人感センサ１２へ電源電流を供給して作動させる。
【００２６】
人感センサ１２は、保線作業用警告灯１の右側傾斜面１１ｅおよび左側傾斜面１１ｆに設けられており、左右の人感センサ１２，１２の上にはそれぞれ縦長形状のスリット１４ａを有するキャップ１４が設けられているため、図９に示すようにレールＲの長手方向には人感センサ１２からのセンサ範囲ＳＡが広がらないように、図１０に示すように保線作業用警告灯１が設置されたマクラギＭ１とマクラギＭ２の上から斜め上方に向かって保線作業員の検知を行う。
【００２７】
そのため、作業者が作業エリアの両端部であるマクラギＭ１とマクラギＭ２との間の作業エリア外に誤って出ようとすると、マクラギＭ１とマクラギＭ２と設置された保線作業用警告灯１の人感センサ１２が反応して保線作業員を検知して、その検知信号を回路基板１１ｇへ出力する。
【００２８】
回路基板１１ｇは、人感センサ１２が保線作業員を検知すると、電池１１ｈから報知手段であるパトライト１３へ電源電流を供給してパトライト１３を点灯や点滅、消灯等の人感センサ１２が保線作業員を検知しない時と状態を変えて、保線作業員が作業エリア外へ通過しそうになったことを報知する。
【００２９】
例えば、人感センサ１２が保線作業員を検知しない時にパトライト１３が消灯している場合は、人感センサ１２が保線作業員を検知した時にパトライト１３を点灯や点滅させる。また、人感センサ１２が保線作業員を検知しない時にパトライト１３が単に点灯している場合は、人感センサ１２が保線作業員を検知した時にパトライト１３を点滅させたり、さらに検知しない時より明るく点灯したり、消灯したり、点灯色を変えて点灯や点滅する等、保線作業員を検知しない時と状態を変えて、保線作業員が作業エリア外へ通過しそうになったことを報知する。
【００３０】
すると、保線作業員は、パトライト１３の状態の変更によって保線作業員が作業エリア外へ通過したことを認識することができるので、保線作業員が誤って作業エリア外に出ることを確実に防止することができると共に、作業エリア外に作業道具を置き忘れることも確実に防止することができる。
【００３１】
その後、保線作業員はリセットスイッチ１６を押せば、パトライト１３の点灯または点滅等の動作がリセットされるので、人感センサ１２が保線作業員を検知していない状態に戻すことができる。
【００３２】
従って、実施形態の保線作業用警告灯１によれば、保線作業員は、パトライト１３の点灯または点滅等による報知によって、保線作業員が誤って作業エリア外に出ることを確実に防止することができ、作業エリア外に作業道具を置き忘れることも確実に防止することができる。
【００３３】
特に、実施形態の保線作業用警告灯１は、マクラギや砕石の上等の軌道上の低い箇所に直接設置しても、警告灯本体１１は、正面視、両端部から中心に向かって傾斜する斜め上向きの一対の傾斜面である右側傾斜面１１ｅおよび左側傾斜面１１ｆを有し、人感センサ１２は、それぞれ、一対の傾斜面である右側傾斜面１１ｅおよび左側傾斜面１１ｆに設け、斜め上方に向かってセンサ光を放射するため、確実に作業員を検知することができる。
【００３４】
また、実施形態の保線作業用警告灯１では、右側傾斜面１１ｅおよび左側傾斜面１１ｆには、それぞれ、人感センサ１２の検知エリアがなるべくレールの長手方向に広がらないように縦長形状のスリット１４ａを有するキャップ１４を設けたため、人感センサ１２による保線作業員の誤検出を減少させることができると共に、軌道上の同じ長さの保線作業エリアの両端部にそれぞれ保線作業用警告灯１を設置する場合でも、保線作業用警告灯１，１間の距離を短くすることができるので、保線作業用警告灯１の設置作業の負担も軽減することができる。
【００３５】
また、実施形態の保線作業用警告灯１では、電源スイッチ１５以外に、人感センサ１２が保線作業員を検知して報知手段としてのパトライト１３が点灯、点滅、消灯あるいは点灯色を変える等、前記人感センサが保線作業員を検知しない時と状態を変えて報知した場合、その報知をリセットして人感センサ１２が保線作業員を検知していない状態に戻すリセットスイッチ１６も設けたため、人感センサ１２が保線作業員を検知してパトライト１３が警告した場合でも、電源スイッチ１５でオフおよびオンすることなく、リセットスイッチ１６を押下するだけでその警告状態をリセットできるので、保線作業の作業効率を向上させることができる。
【００３６】
特に、実施形態の保線作業用警告灯１では、リセットスイッチ１６や電源スイッチ１５は人感センサ１２の直ぐ横に並列して斜め上方を向いた右側傾斜面１１ｅに設けられており、人感センサ１２が保線作業員を検知してパトライト１３の点灯や点滅等した場合、パトライト１３の光が照射される範囲に設けられているので、夜間の保線作業時でもリセットスイッチ１６の位置を確認し易く、この点でも保線作業の作業効率を向上させることができる。
【００３７】
また、本発明に係る保線作業用警告灯１では、さらに、警告灯本体１１には、折り畳み可能な開閉式の一対の脚部１７，１７が設けられているため、マクラギや砕石の上等の軌道上の低い箇所に直接設置する場合に、高さを高く設定することができると共に、使用しない場合には一対の脚部１７，１７を警告灯本体１１の底面１１ｄに収容することができる。
【００３８】
そのため、一対の脚部１７，１７を拡げてマクラギや砕石の上等の軌道上に設置することによって、拡げた一対の脚部１７，１７の高さの分だけ人感センサ１２の高さも高い位置に設置することが可能となるので、人感センサ１２によって保線作業員を確実に検知して保線作業員が誤って作業エリア外に出ることを確実に防止することができ、作業エリア外に作業道具を置き忘れることも確実に防止することができると共に、使用しない場合には一対の脚部１７，１７を閉じて警告灯本体１１の底面１１ｄに収容することにより、保線作業用警告灯１全体を小型化することができるので、保管スペースを削減できると共に、運搬も容易にすることができる。
【００３９】
尚、上記実施形態では、警告灯本体１１の上側面１１ｃに報知手段としてパトライト１３を設けて説明したが、本発明では、これに限らず、図１１〜図１３に示すように、警告灯本体１１の例えば前側面１１ａ等に孔を開けて報知手段としてのＬＥＤ１３’等を埋め込み、人感センサ１２が保線作業員を検知した際、ＬＥＤ１３’がパトライト１３と同様に点灯や、点滅、消灯あるいは色を変えて点灯すること等によって人感センサ１２のセンサ範囲を保線作業員が通過したことを報知するように構成しても勿論良い。
【符号の説明】
【００４０】
１  保線作業用警告灯
１１  警告灯本体
１１ａ  前側面
１１ｂ  後側面
１１ｃ  上側面
１１ｄ  底面
１１ｄ１  電池交換用裏蓋
１１ｄ２  脚支持金具
１１ｅ  右側傾斜面
１１ｆ  左側傾斜面
１１ｇ  回路基板
１１ｈ  電池
１２  人感センサ
１３  パトライト（報知手段）
１３’  ＬＥＤ（報知手段）
１４  センサキャップ
１４ａ  スリット
１５  電源スイッチ
１６  リセットスイッチ
１７  脚部
【図１】
2019145266.tif 000003
【図２】
2019145266.tif 000004
【図３】
2019145266.tif 000005
【図４】
2019145266.tif 000006
【図５】
2019145266.tif 000007
【図６】
2019145266.tif 000008
【図７】
2019145266.tif 000009
【図８】
2019145266.tif 000010
【図９】
2019145266.tif 000011
【図１０】
2019145266.tif 000012
【図１１】
2019145266.tif 000013
【図１２】
2019145266.tif 000014
【図１３】
2019145266.tif 000015